(57)【要約】【課題】移設建物に好適に使用可能であり、建物表面の美観を良くするための構造を提供する。【解決手段】本発明の構造は、所定断面形状で延びる本体部（１４，１５，１６）および本体部に間隔を空けて複数設けられるプレート（１７）を有する鉄骨（１３）と、プレートの縁に分離可能に取付固定される固定金物（１８）と、固定金物に支持される下地材（１９）と、下地材に支持されて鉄骨を覆う表面部材（２１）とを備える。【選択図】図１
2018100552.tif 000002
【特許請求の範囲】
【請求項１】
所定断面形状で延びる本体部および前記本体部に間隔を空けて複数設けられるプレートを有する鉄骨と、
前記プレートに分離可能に取付固定される固定金物と、
前記固定金物に支持される下地材と、
前記下地材に支持されて前記鉄骨を覆う表面部材とを備える、建物の表面構造。
【請求項２】
前記固定金物は、前記プレートの縁を受け入れる第１開口と、前記プレートを厚み方向に挟圧して保持する第１クリップ部分と、前記下地材を受け入れる第２開口と、前記下地材を挟圧して保持する第２クリップ部分とを有する、請求項１に記載の建物の表面構造。
【請求項３】
前記固定金物は、Ｓ字形状である、請求項２に記載の建物の表面構造。
【請求項４】
前記鉄骨の本体部はＨ形鋼あるいは溝形鋼であり、前記鉄骨のプレートは、前記本体部の一対のフランジ間に溶接固定される、請求項１〜３のいずれかに記載の建物の表面構造。
【請求項５】
前記鉄骨は移設建物の基礎であって水平方向に延び、
前記プレートは鉛直方向に広がる姿勢とされ、
前記固定金物は、前記プレートの上部および下部にそれぞれ取り付けられ、
前記下地材は、前記プレートの縁に沿って延びる桟である、請求項１〜４のいずれかに記載の建物の表面構造。
【請求項６】
前記表面部材は、幕板、あるいは人工植物、あるいは網、あるいはこれらの組み合わせである、請求項１〜５のいずれかに記載の建物の表面構造。
【発明の詳細な説明】
【技術分野】
【０００１】
本発明は、恒久的な建築物ではなく、期間限定で設置され、期間終了後に解体・撤去される、いわゆる移設建物に関する。
【背景技術】
【０００２】
建築物のニーズとして、期間を限定しないで恒久的に利用される、いわゆる本設の建物と、期間を限定して設置される仮設の建物とに分類される。本設の建物は、数年ないし数十年の耐久性が要求され、解体撤去については特段考慮されず、重厚かつ高価であり、予算との兼ね合いもあるが見栄え良く建設されるのが常套である。例えば、特開２００５−２３２７４８号公報（特許文献１）には、本設建物の胴差に下地材をボルト固定する技術が記載されている。特許文献１によれば、胴差となるＨ形鋼の上下フランジに１対の貫通孔を穿孔しておき、両端ボルトを１対の貫通孔に差し込み、ダブルナットによって両端ボルトを胴差のフランジに確りと固定する。これにより両端ボルトと結合する下地材は胴差に恒久的に固定され、本設の建物に好適に使用される。
【０００３】
これに対し仮設建物は、コスト上の観点と、搬入組み立ておよび解体撤去の観点から、本設の構造物と比較して、軽量かつ安価であり、見栄えの良さが要求されない。仮設建物は、半年から１年程度の期間限定で使用されるためである。また仮設建物は、繰り返し使用される場合もあるが、使い捨てにされる場合が多い。
【先行技術文献】
【特許文献】
【０００４】
【特許文献１】特開２００５−２３２７４８号公報
【発明の概要】
【発明が解決しようとする課題】
【０００５】
昨今、建物のニーズが多様化しており、半年から１年程度の期間限定で使用されるにもかかわらず、本設建物並の重厚と見栄えの良さを求める、移設建物の需要が徐々に高くなってきている。
【０００６】
移設建物は、仮設建物のように組み立ておよび解体撤去が容易でなければならないという要求と、本設建物のように重厚さおよび見栄えを満足させなければならないという要求を満足する必要がある。しかしながらこれら２つの相反する要求を同時に満足させることは容易ではない。さらには再利用可能という要求も満足することが望まれる。
【０００７】
移設建物の技術向上については、これまで特に研究されていなかったという事情があった。例えば特許文献１記載の技術では、ダブルナットの双方をいちいち締め付けなければならず、組み立ておよび撤去という点である程度の作業時間がかかるため、移設建物に向いていない。
【０００８】
また特許文献１記載の技術は、空中に通される１本物の胴差を対象とするため、コンクリート天端面にＨ形鋼の下部フランジを面接触させる場合には、両端ボルトをＨ形鋼の下部フランジに通すことが困難である。また胴差であっても、胴差の上部フランジ上面に別な鉄骨を沿わせて設置する場合、両端ボルトをＨ形鋼の上部フランジに通すことが困難である。
【０００９】
本発明は、上述の実情に鑑み、移設建物に好適に使用可能であり、さらには本設建物にも使用可能である、建物表面の美観を良くするための構造を提供することを目的とする。
【課題を解決するための手段】
【００１０】
この目的のため本発明による建物の表面構造は、所定断面形状で延びる本体部および当該本体部に間隔を空けて複数設けられるプレートを有する鉄骨と、プレートに分離可能に取付固定される固定金物と、固定金物に支持される下地材と、下地材に支持されて鉄骨を覆う表面部材とを備える。
【００１１】
かかる本発明によれば、表面部材が鉄骨を隠して、建物の屋外側の見栄えを良くし、建物の美観を向上させ、見る人に重厚な印象を与えることができる。また固定金物は鉄骨から容易に分離されて、建物の解体を容易にする。なお、鉄骨の本体部とは形鋼であり、例えばＨ形鋼や溝形鋼である。本発明は固定金物を鉄骨本体部に設けることが困難な場合に便利である。組み立て作業および解体作業を容易にするため固定金物はプレートの縁に取り付けられるとよい。本発明は、移設建物に好適に採用される。移設建物は解体・撤去後に別の場所に再建されてもよい。この場合においても本発明は繰り返し使用可能である。
【００１２】
本発明の一実施形態として固定金物は、プレートの縁を受け入れる第１開口と、プレートを厚み方向に挟圧して保持する第１クリップ部分と、下地材を受け入れる第２開口と、下地材を挟圧して保持する第２クリップ部分とを有する。かかる実施形態によれば、固定金物および下地材をプレートに短時間で容易に取り付けることができる。他の実施形態として、例えばフックおよび切欠きの組み合わせのように、固定金物をプレートに引っ掛けて固定する構造であってもよい。
【００１３】
本発明の好ましい実施形態として固定金物はＳ字形状である。かかる実施形態によれば、表面部材が屋外側から外力を受けても、鉄骨のプレートに支持されて、不所望な変形をきたさない。他の実施形態として、固定金物はＣ字形状等の別形状であってもよい。
【００１４】
本発明のさらに好ましい実施形態として、鉄骨の本体部はＨ形鋼あるいは溝形鋼であり、鉄骨のプレートは本体部の一対のフランジ間に溶接固定される。かかる実施形態によれば、Ｈ形鋼のフランジが他部材に取り付いている等理由により、Ｈ形鋼のフランジに固定金物を取り付けることが困難な場合であっても、鉄骨に下地材を取り付けることができる。他の実施形態として、鉄骨の本体部は溝形鋼であってもよい。
【００１５】
本発明の一実施形態として、鉄骨は移設建物の基礎であって水平方向に延び、プレートは鉛直方向に広がる姿勢とされ、固定金物はプレートの上部および下部にそれぞれ取り付けられ、下地材はプレートの縁に沿って延びる桟である。かかる実施形態によれば、プレートに沿って十分な長さの下地材を取り付けることができる。他の実施形態として、隣り合う２個のプレート間に下地材を架設してもよい。あるいは他の実施形態として、鉄骨は胴差であってもよく、あるいは柱であってもよい。
【００１６】
本発明の一実施形態として、表面部材は化粧板等の幕板であってもよいし、あるいは人工植物であってもよいし、あるいは網であってもよいし、あるいはこれらの組み合わせであってもよい。これにより建物屋外側の美観が一層向上する。
【発明の効果】
【００１７】
このように本発明によれば、移設建物の組み立ておよび分解・撤去が容易になる。また移設建物の美観を良くすることができる。
【図面の簡単な説明】
【００１８】
【図１】本発明の一実施形態になる建物の表面構造を示す斜視図である。
【図２】図１中、鉄骨に取り付けられた固定金物および桟を拡大して示す斜視図である。
【図３】図２に対応する分解斜視図である。
【図４】図３中、鉄骨に取り付けられる固定金物を示す拡大斜視図である。
【図５】固定金物を示す平面図である。
【発明を実施するための形態】
【００１９】
以下、本発明の実施の形態を、図面に基づき詳細に説明する。図１は、本発明の一実施形態になる建物の表面構造を示す斜視図である。図２は、図１中の鉄骨、金物、および桟を拡大して示す斜視図である。まず建物の概略を説明すると、地盤には直方体のプレキャストコンクリート基礎１１が１列に整列して複数配置される。各プレキャストコンクリート基礎１１の上面１２は、連続する平坦な天端面を構成する。
【００２０】
上面１２には鉄骨基礎１３が載置される。鉄骨基礎１３はＨ形鋼であり、上下１対のフランジ１４，１５と、これらフランジ同士を接続するウェブ１６と、鉄骨基礎１３の長手方向に間隔を空けて固定される複数のプレート１７とを有する。フランジ１４，１５およびウェブ１６は断面Ｈ字形状で水平方向に延びる本体部である。鉄骨基礎１３は本体部の重量で建物の安定を確保する。鉄骨の本体部は、鉄骨の長手方向いずれの位置で切断しても同じ断面形状である。鉄骨基礎１３は長手方向に直列的に配置される。隣り合う鉄骨基礎の端部同士はプレート２３およびボルト２４で接続される。ウェブ１６には屋外側から屋内側まで貫通する通気口１６ｈが適宜設けられる。
【００２１】
プレート１７は、１対のフランジ１４，１５間で鉛直方向に広がる略長方形の鉄板である。プレート１７の各縁は、フランジ１４，１５およびウェブ１６に溶接で固定される。鉄骨基礎１３の本体部に溶接されないプレート１７外縁には、固定金物１８が分離可能に取付固定される。本実施形態では１枚のプレート１７当たり上下方向に間隔を空けて２個の固定金物１８が取り付けられる。これら上下１対の固定金物１８，１８は、共通する１本の桟１９を支持する。
【００２２】
本実施形態では、各プレート１７の縁に固定金物１８を介して桟１９が取付固定される。したがって桟１９は、鉄骨基礎１３に沿って所定間隔に配置される。各桟１９は上下方向に延びる四角柱の桟木である。桟１９には、幕板２１が固定される。幕板２１は建物の表面部材になり、建物の屋外側から鉄骨基礎１３を覆う。これに対し桟１９は、幕板２１を支持する下地材になる。幕板２１は、鉄骨基礎１３に沿って延び、隣り合う２個の下地材が幕板２１の両端部を確りと支持する。幕板２１には木目の美しい木板や、すのこや、古風で爽やかな印象を見る人に与える焼杉や、移設建物の用途に対応する化粧板等が使用される。
【００２３】
桟１９は図１に実線で示すように、上側のフランジ１４から下側のフランジ１５まで延びるものであってもよい。あるいは図１に破線で示すように、これらフランジ１４，１５の間隔よりも短いものであってもよい。破線で示される桟１９よりも下方には、プレキャストコンクリート製の犬走り２２が設置される。犬走り２２は、下側のフランジ１５に重なるように設置され、建物の外構に用いられる。なお図１に実線で示す桟１９にも、仮想線で示す幕板２１が固定される。
【００２４】
幕板２１は、実線で示すように上側フランジ１４から犬走り２２までの距離と同じ幅を有する。あるいは図示しない変形例の幕板２１は、上側フランジ１４から下側フランジ１５までの間隔と同じ幅を有していてもよく、幕板２１の下縁およびプレキャストコンクリート基礎１１は、建物の外構としての砂利（図示せず）で埋められてもよい。
【００２５】
桟１９は、図１左側に示すように上側フランジ１４から犬走り２２までの距離と同じ長さを有する。あるいは桟１９は、図１右側に示すように上側フランジ１４から下側フランジ１５までの距離と同じ長さを有する。各固定金物１８は、桟１９の上端部および下端部をそれぞれ支持する。
【００２６】
幕板２１および犬走り２２は、建物の外構において、鉄骨基礎１３およびプレキャストコンクリート基礎１１を覆い隠し、視覚的な重厚さと、見栄えの良さを発揮する。
【００２７】
鉄骨基礎１３の上側のフランジ１４には、小柱２５が所定間隔で立設される。本実施形態では、各プレート１７に対応するよう、小柱２５がプレート１７直上に配置される。
【００２８】
隣り合う小柱２５間には、外壁２６が取付固定される。外壁２６の下縁、フランジ１４、および幕板２１の上縁にはサイティング２７が外張りされる。サイティング２７は鉄骨基礎１３に沿って延びる化粧板であり、例えば金属製とされて、外壁２６と同等の耐候性を有する。サイティング２７はフランジ１４を覆うのみならず、外壁２６および幕板２１と重なって、２部材同士の隙間を覆うとともに、建物下部の美観を向上させる。
【００２９】
本実施形態は移設建物であり、汎用のプレキャストコンクリート基礎１１および鉄骨基礎１３が単に載置される。しかしながら上述のように、幕板２１の作用によって仮設建物と比較して視覚的な重厚さと、見栄えの良さを発揮する。なお犬走り２２、サイティング２７、小柱２５、および外壁２６の割り付けは、図１に示す実施形態に限定されない。
【００３０】
次に固定金物１８および桟１９につき詳細に説明する。
【００３１】
図３は図２に対応する分解斜視図である。図４は、図３中、鉄骨基礎に取り付けられる固定金物を示す拡大斜視図である。図５は固定金物を示す平面図である。図３に示すように固定金物１８は、プレート１７を受け入れる第１開口１８ｂと、プレート１７を厚み方向に挟圧して保持する第１クリップ部分（板１８ａ，１８ｄ，１８ｅ）と、桟１９を受け入れる第２開口１８ｃと、桟１９を挟圧して保持する第２クリップ部分（板１８ｇ，１８ｆ，１８ｅ）とを有する。図５に示すように固定金物１８はＳ字形状である。第１開口１８ｂは一方側へ指向し、第２開口１８ｃは他方側へ指向する。
【００３２】
第１クリップ部分は左右逆コ字状に形成され、互いに向き合う端側の板１８ａおよび中央の板１８ｅと、第１開口１８ｂとは反対側に位置する板１８ａ，１８ｅの端部同士を結合する中間板１８ｄを含み、互いに向き合う２枚の板１８ａ，１８ｅでプレート１７を厚み方向に挟圧する。第１クリップ部分の端側の板１８ａはヘ字状に僅かに折り曲げ形成される。具体的には板１８ａの中央部が板１８ｅにもっとも近くなるよう折り曲げられ、板１８ａの先端部１８ａ´は、かかる折り曲げ部分から離れるにつれて板１８ｅから遠ざかるよう傾斜する。板１８ａの根元部は、板１８ｄに近づくにつれて板１８ｅから遠ざかるよう傾斜する。これにより第１クリップ部分の挟圧力を増大する。また板１８ａのヘ字状折り曲げ箇所は、板１８ｄから遠く、板１８ａの先端に近い箇所に配置される。これにより第１クリップ部分がプレート１７を最大の圧力で挟圧する箇所は、プレート１７の縁から深くされる。
【００３３】
固定金物１８をプレート１７に所定方向に差し込むことにより、つまり第１開口１８ｂがプレート１７を受け入れることにより、固定金物１８は鉄骨基礎１３に容易に取り付けられる。逆に差し込み方向とは反対方向に固定金物１８を引っ張ることにより、固定金物１８は鉄骨基礎１３から容易に分離可能である。
【００３４】
第２クリップ部分はコ字状に形成され、互いに向き合う端側の板１８ｇおよび中央の板１８ｅと、これらの板の端部同士を結合する中間板１８ｆを含み、互いに向き合う２枚の板１８ｇ，１８ｅで桟１９を挟圧する。桟１９は断面正方形あるいは長方形の棒であり、第２クリップ部分の２枚の板１８ｇ，１８ｅの間隔に対応する断面寸法にされる。
【００３５】
第２クリップ部分の端側の板１８ｇには小孔１８ｈが穿設される。第２開口１８ｃに桟１９を嵌め込んで小孔１８ｈに釘を通し、当該釘を桟１９に打ち付けることで、固定金物１８は桟１９に確りと結合する。
【００３６】
なお固定金物１８の中央部の板１８ｅは、端側の板１８ａ，１８ｇと平行に向き合い、第１クリップ部分および第２クリップ部分を兼用する。板１８ｇ，１８ｅの間隔は、１８ａ，１８ｅの間隔よりも大きくされる。
【００３７】
ところで本実施形態によれば、鉄骨基礎１３が所定のＨ断面形状で延びる本体部としてのフランジ１４，１５およびウェブ１６、さらに本体部に間隔を空けて複数設けられるプレート１７を有する。プレート１７の縁には固定金物１８が分離可能に取付固定される。下地材としての桟１９は、固定金物１８に支持される。表面部材としての幕板２１は桟１９に支持されて鉄骨基礎１３を覆う。これにより幕板２１は、鉄骨基礎１３を隠して、建物の屋外側の見栄えを良くし、建物の美観を向上させ、見る人に重厚な印象を与えることができる。また固定金物１８は鉄骨基礎１３から容易に分離されて、建物の解体を容易にする。また本実施形態によれば固定金物１８を鉄骨本体部に設けることが困難な場合に便利である。本実施形態は、移設建物に好適に採用される。
【００３８】
また本実施形態の固定金物１８は、プレート１７の縁を受け入れる第１開口１８ｂと、プレート１７をプレート１７の厚み方向に挟圧して保持する第１クリップ部分としての板１８ａ，１８ｅと、桟１９を受け入れる第２開口１８ｃと、桟１９を挟圧して保持する第２クリップ部分としての１８ｇ，１８ｅを有する。これにより固定金物１８および桟１９はプレート１７に短時間で容易に取り付けられる。
【００３９】
また本実施形態の固定金物１８は図５に示すようにＳ字形状であることから、幕板２１が外力あるいは外構の土圧を受けても、鉄骨基礎１３のプレート１７に支持されて、不所望な変形をきたさない。
【００４０】
また本実施形態の鉄骨基礎１３の本体部はＨ形鋼であり、プレート１７は、本体部の一対のフランジ１４，１５間に溶接固定される。これによりフランジ１４の外側面（上面）に小柱２５が立設され、フランジ１５の外側面（下面）がプレキャストコンクリート基礎１１に面接触する等、フランジ１４，１５に固定金物を取り付けることが困難な場合であっても、鉄骨基礎１３に下地材を取り付けることができる。
【００４１】
また本実施形態の鉄骨基礎１３は建物の基礎に含まれて水平方向に延び、プレート１７は鉛直方向に広がる姿勢とされ、固定金物１８は、プレート１７の上部および下部にそれぞれ取り付けられ、桟１９は、プレート１７の縁に沿って延びる。これによりプレート１７に沿って十分な長さの桟１９を取り付けることができる。
【００４２】
また本実施形態の幕板２１は、図示しない人工植物であってもよいし、あるいは図示しない網であってもよいし、あるいはこれらの組み合わせであってもよい。例えば人工植物は、瑞々しく生き生きとした印象を見る人に与える。これにより建物屋外側の美観が一層向上する。
【００４３】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【００４４】
図示しない変形例として、鉄骨基礎１３の本体部は溝形鋼であってもよい。また固定金物１８が取り付けられる鉄骨は、建物基礎に限られず、建物の２階以上の胴差に取り付けられてもよい。プレート１７は鉄骨基礎１３の屋外側および屋内側にそれぞれ設けられる。また固定金物１８および桟１９は、屋内側のプレートに取り付けられてもよい。
【産業上の利用可能性】
【００４５】
この発明になる建物の表面構造は、建築において有利に利用される。
【符号の説明】
【００４６】
１１  プレキャストコンクリート基礎、      １３  鉄骨基礎、      
１４，１５  フランジ、      １６  ウェブ、      １７  プレート、      
１８  固定金物、      １８ｂ  第１開口、      １８ｃ  第２開口、      
１９  桟（下地材）、      ２１  幕板（表面部材）、      ２２  犬走り、      
２５  小柱、      ２６  外壁、      ２７  サイティング。
【図１】
2018100552.tif 000003
【図２】
2018100552.tif 000004
【図３】
2018100552.tif 000005
【図４】
2018100552.tif 000006
【図５】
2018100552.tif 000007